(57)【要約】【課題】  ユーザによって登録されたグループ毎に用紙情報を一覧し、給紙段に紐づけ設定可能な用紙管理システムを提供することを目的とする。【解決手段】  用紙情報の一覧の中から画像形成装置の格納部に格納された用紙の用紙情報を設定する用紙管理システムにおいて、用紙情報をお気に入りグループに登録にし、お気に入りグループ毎に一覧表示し、一覧表示した画面から給紙部に紐づけ設定可能にする。【選択図】  図６
2019075746.tif 000002
【特許請求の範囲】
【請求項１】
用紙情報の一覧の中から画像形成装置の格納部に格納された用紙の用紙情報を設定する用紙管理システムであって、特定のグループに属する用紙情報のみを一覧可能な画面を表示デバイスに表示させることが可能な用紙管理システムにおいて、
複数の用紙情報の中から指定された用紙情報を、第１のグループおよび第２のグループを少なくとも含む複数のグループの中から指定されたグループに登録する手段と、
前記第１のグループに属する用紙情報の一覧から格納部に紐づける用紙情報の指定を受け付ける手段と、
前記第２のグループに属する用紙情報の一覧から格納部に紐づける用紙情報の指定を受け付ける手段と、
を有することを特徴とする用紙管理システム。
【請求項２】
前記登録する手段は、特定の用紙情報を前記第１のグループおよび第２のグループに登録可能であることを特徴とする請求項１に記載の用紙管理システム。
【請求項３】
前記第１のグループに登録され且つ前記第２のグループに登録されている用紙情報に付与されるアイコンは、前記第１のグループのみに登録されたアイコンと異なり、且つ、前記第２のグループのみに登録されたアイコンと異なることを特徴とする請求項１または２に記載の用紙管理システム。
【請求項４】
１つのグループには所定数までの用紙情報を登録可能であることを特徴とする請求項１乃至３のいずれか１項に記載の用紙管理システム。
【請求項５】
特定の条件を満たしたことに基づいて、指定された用紙情報の前記グループへの登録を解除可能な画面を前記表示デバイスに表示させることを特徴とする請求項１乃至４のいずれか１項に記載の用紙管理システム。
【請求項６】
前記解除可能な画面には、用紙情報の一覧の中からいずれかの用紙情報の登録解除を促すメッセージが配置されていることを特徴とする請求項５に記載の用紙管理システム。
【請求項７】
特定の条件を満たしたことに基づいて、グループの削除を促す画面を前記表示デバイスに表示させることを特徴とする請求項１乃至６のいずれか１項に記載の用紙管理システム。
【請求項８】
前記登録する手段は、複数の用紙情報を１つのグループにまとめて登録する指定を受け付けることを特徴とする請求項１乃至７のいずれか１項に記載の用紙管理システム。
【請求項９】
用紙情報の一覧の中から画像形成装置の格納部に格納された用紙の用紙情報を設定する用紙管理システムであって、特定のグループに属する用紙情報のみを一覧可能な画面を表示デバイスに表示させることが可能な用紙管理方法において、
複数の用紙情報の中から指定された用紙情報を、第１のグループおよび第２のグループを少なくとも含む複数のグループの中から指定されたグループに登録する工程と、
前記第１のグループに属する用紙情報の一覧から格納部に紐づける用紙情報の指定を受け付ける工程と、
前記第２のグループに属する用紙情報の一覧から格納部に紐づける用紙情報の指定を受け付ける工程と、
を有することを特徴とする用紙管理方法。
【請求項１０】
前記登録する工程は、特定の用紙情報を前記第１のグループおよび第２のグループに登録可能であることを特徴とする請求項９に記載の用紙管理方法。
【請求項１１】
前記第１のグループに登録され且つ前記第２のグループに登録されている用紙情報に付与されるアイコンは、前記第１のグループのみに登録されたアイコンと異なり、且つ、前記第２のグループのみに登録されたアイコンと異なることを特徴とする請求項９または１０に記載の用紙管理方法。
【請求項１２】
１つのグループには所定数までの用紙情報を登録可能であることを特徴とする請求項９乃至１１のいずれか１項に記載の用紙管理方法。
【請求項１３】
特定の条件を満たしたことに基づいて、指定された用紙情報の前記グループへの登録を解除可能な画面を前記表示デバイスに表示させることを特徴とする請求項９乃至１２のいずれか１項に記載の用紙管理方法。
【請求項１４】
前記解除可能な画面には、用紙情報の一覧の中からいずれかの用紙情報の登録解除を促すメッセージが配置されていることを特徴とする請求項１３に記載の用紙管理方法。
【請求項１５】
特定の条件を満たしたことに基づいて、グループの削除を促す画面を前記表示デバイスに表示させることを特徴とする請求項９乃至１４のいずれか１項に記載の用紙管理方法。
【請求項１６】
前記登録する工程は、複数の用紙情報を１つのグループにまとめて登録する指定を受け付けることを特徴とする請求項９乃至１５のいずれか１項に記載の用紙管理方法。
【請求項１７】
用紙情報の一覧の中から画像形成装置の格納部に格納された用紙の用紙情報を設定する用紙管理システムであって、特定のグループに属する用紙情報のみを一覧可能な画面を表示デバイスに表示させることが可能な印刷制御装置において、
複数の用紙情報の中から指定された用紙情報を、第１のグループおよび第２のグループを少なくとも含む複数のグループの中から指定されたグループに登録する手段と、
前記第１のグループに属する用紙情報の一覧から格納部に紐づける用紙情報の指定を受け付ける手段と、
前記第２のグループに属する用紙情報の一覧から格納部に紐づける用紙情報の指定を受け付ける手段と、
を有することを特徴とする印刷制御装置。
【発明の詳細な説明】
【技術分野】
【０００１】
本発明は、印刷時に使用する用紙情報を管理するためのシステムに関する。
【背景技術】
【０００２】
用紙（シート）に画像を形成する画像形成装置としてプリンタ等の装置が従来から知られている。こうした画像形成装置の１つとして、印刷データに付与された用紙情報にしたがって用紙の供給を行う画像形成装置が知られている（引用文献）。この画像形成装置では、あらかじめ給紙段に用紙情報を紐づけておく必要があり、ユーザは、登録された用紙情報の一覧の中から給紙段に紐づける用紙を探し出して指定する。
【先行技術文献】
【特許文献】
【０００３】
【特許文献１】特開２０１４−２０５３４３号公報
【発明の概要】
【発明が解決しようとする課題】
【０００４】
しかしながら、用紙の種類は膨大であるため、登録されている用紙情報が多いと一覧の中から所望の用紙情報を探すのが困難であった。そのため、給紙段に紐づける用紙情報の選択が容易な用紙管理システムが望まれる。
【０００５】
登録する用紙情報の多い印刷工場では、定期的に印刷成果物の納品する納品先毎に使用する用紙の組み合わせが決まっている場合が多い。そのため、納品先などのグループ毎に用紙情報を一覧できることが望ましい。
【０００６】
本発明の目的は、ユーザによって登録されたグループ毎に用紙情報を一覧し、給紙段に紐づけ設定可能な用紙管理システムを提供することを目的とする。
【課題を解決するための手段】
【０００７】
本発明は、用紙情報の一覧の中から画像形成装置の格納部に格納された用紙の用紙情報を設定する用紙管理システムであって、特定のグループに属する用紙情報のみを一覧可能な画面を表示デバイスに表示させることが可能な用紙管理システムにおいて、複数の用紙情報の中から指定された用紙情報を、第１のグループおよび第２のグループを少なくとも含む複数のグループの中から指定されたグループに登録する手段と、前記第１のグループに属する用紙情報の一覧から格納部に紐づける用紙情報の指定を受け付ける手段と、前記第２のグループに属する用紙情報の一覧から格納部に紐づける用紙情報の指定を受け付ける手段と、を有することを特徴とするものである。
【発明の効果】
【０００８】
本発明によれば、ユーザによって登録されたグループ毎に用紙情報を一覧し、給紙段に紐づけ設定可能な用紙管理システムを提供することができる。
【図面の簡単な説明】
【０００９】
【図１】用紙管理システムの構成例を示す図である。
【図２】画像形成装置のハードウェア構成を示す図である。
【図３】（ａ）は、印刷制御装置のハードウェア構成を示す図である。（ｂ）は、ソフトウェア構成を示す図である。
【図４】用紙管理アプリケーションの起動フローを示す図である。
【図５】画像形成装置の起動フローを示す図である。
【図６】（ａ）は、用紙管理システムの通信構成を示す図である。（ｂ）は、用紙管理フローを示す図である。
【図７】（ａ）は、用紙管理画面を示す図である。（ｂ）は、用紙情報の登録画面を示す図である。（ｃ）は、給紙段用紙の指定画面を示す図である。
【図８】（ａ）は、お気に入りグループの編集画面を示す図である。（ｂ）は、お気に入りグループの編集画面を示す図である。（ｃ）は、お気に入りグループの編集画面を示す図である。
【図９】給紙段に用紙登録する際の画面遷移を示す図である。
【図１０】お気に入り登録する際の画面遷移を示す図である。
【図１１】お気に入りグループを編集する際の画面遷移を示す図である。
【図１２】（ａ）は、用紙情報のテーブルを示す図である。（ｂ）は、給紙段情報のテーブルを示す図である。（ｃ）は、お気に入り情報のテーブルを示す図である。
【図１３】（ａ）は、お気に入り登録処理のフローを示す図である。（ｂ）は、お気に入り表示のフローを示す図である。
【図１４】お気に入り登録をする際の画面遷移を示す図である。
【図１５】お気に入り登録処理のフローを示す図である。
【図１６】お気に入り登録をする際の画面遷移を示す図である。
【図１７】お気に入り登録処理のフローを示す図である。
【図１８】用紙リスト画面を示す図である。
【図１９】用紙リスト表示処理のフローを示すである。
【発明を実施するための形態】
【００１０】
以下、本発明を実施するための形態について図面を用いて説明する。
【００１１】
図１は、用紙管理システムの構成例を示す図である。図１の用紙管理システム１００は、画像形成装置１０３と、印刷制御装置１０２を備えている。そして、この用紙管理システム１００は、クライアントコンピュータ１０１と通信可能に接続されている。クライアントコンピュータ１０１と印刷制御装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、印刷制御装置１０２と画像形成装置１０３とは、画像ビデオケーブル１０７及び制御ケーブル１０８を介して接続されている。本実施形態では、画像形成装置１０３は、ＬＡＮ１１０に直接接続されていない。画像形成装置１０３とクライアントコンピュータ１０１とは、印刷制御装置１０２を介して通信する。なお、画像形成装置１０３は、ＬＡＮ１１０に接続されても良い。つまり、画像形成装置１０３は、直接、クライアントコンピュータ１０１と通信可能に接続されていても良い。
【００１２】
クライアントコンピュータ１０１は、アプリケーションを起動させて用紙管理システム１００に印刷指示などを行う。印刷制御装置１０２は、画像形成装置１０３と連携して画像処理を行う。画像形成装置１０３は色々な機能を有する複合機であり、クライアントコンピュータ１０１や印刷制御装置１０２からの画像処理を行うだけでなく、１０４のスキャナ部より読み込んだデータをコピーしたり、共有フォルダに送信したりすることが可能である。１０４のスキャナ部で画像を走査する際には、操作部１０５にて各種キーを介して、ユーザから各種指示を受け付ける。また、操作部１０５はパネルを介して、スキャン状態などの各種情報を表示する。排紙部１０６は画像が形成された用紙を受け取って、当該受け取った用紙に対して排紙する。１１１は印刷制御装置１０２の表示装置（表示デバイス）であり、液晶モニタ等の装置である。１１２はキーボード、１１３はポインティングデバイスである。
【００１３】
本実施の形態では、印刷制御装置１０２と画像形成装置１０３の別システムとして用紙管理システム１００を説明するが、印刷制御装置１０２の処理を画像形成装置１０３の内部に包含し、印刷制御装置１０２を物理的に配置しなくてもよい。また、表示装置１１１がタッチパッドのような位置入力装置機能を持ち、１１３のポインティングデバイスの機能を兼ねている構成でも良い。
【００１４】
図２は、画像形成装置のハードウェア構成を示す図である。図２の画像形成装置１０３のブロック図において、コントローラ２００は、画像形成装置１０３を制御し、ＣＰＵ２０１から読取インターフェース２１２によって構成されている。２０１はＣＰＵで、ＲＯＭ２０３または外部記憶装置２１０に記憶された制御プログラムに基づいてシステムバス２０４に接続される各種のデバイスとのアクセスを総括的に制御する。また、印刷インターフェース２０７を介して接続される印刷部（プリンタエンジン）２１３に出力情報としての画像信号を出力したり、読取インターフェース２１２を介して接続される読取部（スキャナ）１０４から入力される画像信号を制御する。ＣＰＵ２０１はＬＡＮコントローラ２０６を介して印刷制御装置１０２との通信処理が可能となっている。２０２はＲＡＭで、主としてＣＰＵ２０１の主メモリ、ワークエリア等として機能する。ハードディスク（ＨＤＤ）、ＩＣカード等の外部記憶装置２１０は、ディスクコントローラ（ＤＫＣ）２０８によりアクセスが制御される。ハードディスクは、アプリケーションプログラム、フォントデータ、フォームデータ等を記憶したり、プリントジョブを一時的にスプールし、スプールされたジョブを外部から制御するためのジョブ格納領域として使用される。また更に、スキャナ１０４から読み取った画像データやプリントジョブの画像データを留め置き印刷データとして保持し、ネットワークから参照したり、印刷を行う留め置き印刷データ格納領域としても使用される。本実施例においては、外部記憶装置としてはＨＤＤを使用するものとし、ジョブログ、画像ログ等各種ログを保持する。２０５は操作部Ｉ／Ｆで、ユーザが操作部１０５（例としてはソフトウェアキーまたはハードウェアキー）から入力された各種情報を受信し、各種画面表示制御信号を送信する。２０９は不揮発性メモリであり、操作部１０５やネットワークを介して端末から設定される各種設定情報を記憶している。ビデオインターフェース２１１は印刷制御装置１０２から画像データを受信する。
【００１５】
図３（ａ）は、印刷制御装置１０２のハードウェア構成を示す図である。図３の印刷制御装置１０２のブロック図において、コントローラ３００は、印刷制御装置１０２を制御し、ＣＰＵ３０１〜ビデオインターフェース３１０によって構成されている。３０１はＣＰＵで、ＲＯＭ３０３または外部記憶装置３０９に記憶された制御プログラムに基づいてシステムバス３０４に接続される各種のデバイスとのアクセスを総括的に制御する。また、ＣＰＵ３０１はＬＡＮコントローラ３０６を介して画像形成装置１０３との通信処理が可能となる。ＣＰＵ３０１はＬＡＮコントローラ３０７を介してネットワーク上のクライアントコンピュータ１０１や画像形成装置１０３との通信処理が可能となる。３０２はＲＡＭで、主としてＣＰＵ３０１の主メモリ、ワークエリア等として機能する。ハードディスク（ＨＤＤ）、ＩＣカード等の外部記憶装置３０９は、ディスクコントローラ（ＤＫＣ）３０８によりアクセスが制御される。ハードディスクは、アプリケーションプログラム、フォントデータ、フォームデータ等を記憶したり、プリントジョブを一時的にスプールする。スプールされたジョブをＲＩＰ（Ｒａｓｔｅｒ  Ｉｍａｇｅ  Ｐｒｏｃｅｓｓｏｒ）処理し、再度保存するためのジョブ格納領域として使用される。３０５は操作部Ｉ／Ｆで、ユーザが操作部（キーボード１１２、ポインティングデバイス１１３）から入力された各種情報を受信し、表示装置１１１に対する各種画面表示制御信号を送信する。ビデオインターフェース３１０は画像形成装置１０３へＲＩＰ処理した画像データを送信する。
【００１６】
図３（ｂ）は、ソフトウェア構成を示す図である。印刷制御装置１０２を制御するシステムソフトウェア３５１は、ＵＩ制御ユニット３５２、用紙管理ユニット３５３、給紙段管理ユニット３５４、ネットワーク制御ユニット３５５、ジョブ管理ユニット３５６、設定管理ユニット３５７で構成される。
【００１７】
ＵＩ制御ユニット３５２は、用紙管理システムで表示する画面を制御するユニットである。ＵＩ制御ユニット３５２は、システム設定に従い、画面表示文言や用紙サイズの表示単位系の表示を切り替えるように制御することが可能である。
【００１８】
用紙管理ユニット３５３は、画像形成装置１０３と通信を行い、取得した用紙情報を図１２の用紙設定管理テーブル１２１０で管理するユニットである。用紙管理ユニット３５３は、用紙設定管理テーブル１２１０に対して、用紙情報の編集、追加、削除、検索を行うことが可能である。用紙設定管理テーブル１２１０は、用紙情報を用紙ＩＤごとに管理するための管理テーブルであり、不揮発領域である外部記憶装置３０９で管理される。なお、外部記憶装置３０９で管理としたが、画像形成装置１０３の外部記憶装置２１０側で管理し、印刷制御装置１０２は画像形成装置１０３から用紙設定管理テーブル１２１０を取得し、プログラム実行中はＲＡＭ３０２に格納しておくようにしてもよい。
【００１９】
給紙段管理ユニット３５４は、画像形成装置１０３と通信を行い、取得した給紙段情報を図１２の給紙段管理テーブル１２２０で管理するユニットである。給紙段管理ユニット３５４は、給紙段管理テーブル１２２０に対して、給紙段情報の編集、追加、削除、検索を行うことが可能である。給紙段管理テーブル１２２０は、給紙段情報を給紙段ＩＤごとに管理するための管理テーブルであり、不揮発領域である外部記憶装置３０９で管理される。なお、外部記憶装置３０９で管理としたが、画像形成装置１０３の外部記憶装置２１０側で管理し、印刷制御装置１０２は画像形成装置１０３から給紙段管理テーブル１２２０を取得し、プログラム実行中はＲＡＭ３０２に格納しておくようにしてもよい。
【００２０】
ネットワーク制御ユニット３５５は、ＬＡＮコントローラ３０６を介して画像形成装置１０３、およびＬＡＮコントローラ３０７を介してネットワーク上のクライアントコンピュータ１０１との通信処理を制御するユニットである。
【００２１】
ジョブ管理ユニット３５６は、印刷処理シーケンスやジョブの順番を管理するユニットである。ジョブ管理ユニット３５６は、印刷制御装置１０２が受信したジョブを管理し、ＬＡＮコントローラ３０６およびビデオインターフェース３１０を介して画像形成装置１０３へ受信ジョブを印刷するためのデータ転送を制御する。
【００２２】
設定管理ユニット３５７は、用紙管理システムに関するシステム設定、およびお気に入り情報を管理するユニットである。設定管理ユニット３５７は、お気に入り情報を図１２のお気に入り設定テーブル１２３０で管理する。設定管理ユニット３５７は、お気に入り設定テーブル１２３０に対して、お気に入り情報の編集、追加、削除、検索を行うことが可能である。システム設定とは、例えば、用紙管理システムの画面表示文言の言語設定や、用紙サイズの表示単位系（ミリまたはインチ）設定である。設定テーブル１２３０は、用紙管理システム１００の設定情報を管理するための管理テーブルであり、不揮発領域である外部記憶装置３０９で管理される。なお、外部記憶装置３０９で管理としたが、画像形成装置１０３の外部記憶装置２１０側で管理し、印刷制御装置１０２は画像形成装置１０３から設定テーブル１２３０を取得し、プログラム実行中はＲＡＭ３０２に格納しておくようにしてもよい。
【００２３】
図７（ａ）は、用紙管理画面を示す図である。図７（ｂ）は、用紙情報の登録画面を示す図である。図７（ｃ）は、給紙段用紙の指定画面を示す図である。
【００２４】
用紙管理システムは、印刷制御装置１０２上で動作する。図７（ａ）のトップ画面７１０は、画像形成装置１０３の給紙段の情報を表示した状態の画面である。用紙管理システムのトップ画面７１０は、ＣＰＵ３０１からの指示に従ってそのビデオメモリに描画すると共に、ビデオメモリに描画されたイメージデータをビデオ信号として表示装置１１１に出力され、表示される。
【００２５】
７１０は用紙管理システムのトップ画面であり、画像形成装置１０３の給紙段情報を表示した状態の画面を表示することが出来る（図７（ａ）の７１０の状態）。トップ画面７１０は、印刷制御装置１０２に接続されている、画像形成装置１０３のハードウェアオプションの接続状況を表す。用紙管理システムは起動した時に、画像形成装置１０３のハードウェアオプション情報を取得し、このオプション情報に従い正しい画像を表示する。本実施の形態の図７では、給紙装置が５つ（うち一つが手差しトレイ）、排紙装置が接続されている状態を表している。７１３〜７１６は給紙段ボタンである。用紙管理システムが起動した時に取得した画像形成装置１０３の給紙段（給紙部、格納部）の情報を元に、給紙段ボタンを作成して配置する。用紙残量表示部７１８は、給紙段の用紙残量を表示する領域である。コントローラ３００は、画像形成装置１０３の給紙段の状態変更発生時に、画像形成装置１０３から給紙段状態変更イベントを受信すると、給紙段情報を取得しなおす。コントローラ３００は、取得した給紙段情報に従い用紙残量表示部７１８を再描画する。
【００２６】
用紙リストボタン７１１は、用紙リスト画面を表示するための指示を出すボタンである。本実施形態では、ボタン７１１が押下されると、コントローラ３００は図７（ｂ）の用紙リスト画面７３０を表示し、用紙リスト画面７３０を最前面に表示する。
【００２７】
設定ボタン７１２は、用紙管理システムのシステム設定を変更するための画面を表示するための指示を出すボタンである。コントローラ３００は、外部記憶装置３０９に保存されたシステム設定に従い、現在のシステム設定を表示する。図４は用紙管理システムが起動した時に、トップ画面７１０が作成される時に処理される印刷制御装置１０２のフローチャートである。図５は、画像形成装置の起動フローを示す図である。図５に示すように、画像形成装置１０３は、起動する際に、印刷制御装置１０２と通信して同期する情報を作成する。
【００２８】
図４は、用紙管理アプリケーションの起動フローを示す図である。
【００２９】
図４のフローチャートに係る印刷制御装置１０２のプログラムは、図３の外部記憶装置３０９に格納されており、ＲＡＭ３０２に読み出されＣＰＵ３０１によって実行される。用紙管理システムが起動すると、Ｓ４０１において、コントローラ３００は用紙管理の対象となる画像形成装置１０３のモデルを判別する。コントローラ３００は、画像形成装置１０３と通信を行い、モデル情報を取得し、用紙管理システムが予め保持しているモデル判別情報を元に、画像形成装置１０３のモデルを判別する。
【００３０】
Ｓ４０１において、モデルを判別したら、Ｓ４０２へ遷移する。
【００３１】
Ｓ４０２において、コントローラ３００は、画像形成装置１０３の接続されているハードウェアオプションを判別し、トップ画面７１０を作成する時、給紙段の情報を特定する時や、モデルごとの仕様差を吸収する際にモデル判別情報を使用する。画像形成装置１０３と通信を行い、ハードウェアオプション情報を取得したら、Ｓ４０３へ遷移する。
【００３２】
Ｓ４０３において、コントローラ３００は用紙管理の対象となる画像形成装置１０３に接続されている給紙段の判別を行う。接続されている給紙段の数と給紙段情報を取得する。例えば、ここで取得する給紙段情報は給紙段名称、給紙段ＩＤ、給紙段の用紙残量とする。Ｓ４０３にて給紙段の判別が出来たら、コントローラ３００は、給紙段管理ユニット３５４を制御して、取得した給紙段情報を給紙段管理テーブル１２２０へ書き込む。Ｓ４０４に遷移する。
【００３３】
Ｓ４０４にて、コントローラ３００は画像形成装置１０３と通信を行いそれぞれの給紙段に設定されている用紙情報を取得する。Ｓ４０４にて給紙段の用紙情報（用紙ＩＤ）を取得したら、コントローラ３００は、給紙段管理ユニット３５４を制御して、取得した用紙ＩＤを給紙段管理テーブル１２２０の対象給紙段ＩＤに一致する領域へ書き込み、Ｓ４０５に遷移する。
【００３４】
Ｓ４０５にて、コントローラ３００はトップ画面７１０に表示する給紙段ボタン７１３〜７１７の情報を作成する。Ｓ４０５で給紙段ボタンの情報を作成したら、Ｓ４０６に遷移する。
【００３５】
Ｓ４０６にて、コントローラ３００は画像形成装置１０３と通信を行い、用紙リスト情報を取得する。用紙情報とは、例えば、用紙名称や印刷に必要なパラメータ（用紙の用紙情報入力領域７５１に表示される坪量やサイズ等や、調整項目一覧７５４に表示されている光沢性／黒品位の調整等の設定値）、お気に入りＩＤや使用履歴、設定可能な給紙段ＩＤである。Ｓ４０６にて用紙リスト情報を取得したら、コントローラ３００は、用紙管理ユニット３５３を制御して、取得した用紙情報を用紙設定管理テーブル１２１０へ書き込み、Ｓ４０７に遷移する。Ｓ４０７にて、コントローラ３００は、用紙リスト画面７３０の用紙リスト表示領域７３１に表示する用紙リスト情報を作成する。設定可能な給紙段ＩＤは、印刷制御装置１０２で、コントローラ３００が、用紙管理ユニット３５３に対して、接続される画像形成装置に応じて、取得した用紙情報から各給紙段に設定可能か否か判断してもよい。または、コントローラ３００が、用紙管理ユニット３５３に対して、画像形成装置１０３に対して取得した用紙情報が各給紙段に対して設定可能か問い合わせを行い、画像形成装置１０３から返ってきた設定可能な給紙段ＩＤを設定するようにしてもよい。使用履歴は、用紙が割り当てられた回数を意味する情報で、用紙作成時に０回として設定され、用紙が給紙段に割り当てられる毎にカウントアップする回数である。
【００３６】
Ｓ４０７にて、コントローラ３００は、用紙リスト情報を作成したら、Ｓ４０８に遷移する。
【００３７】
Ｓ４０８において、コントローラ３００は、Ｓ４０１、Ｓ４０２で取得した画像形成装置１０３のモデルハードウェアオプション情報、Ｓ４０５で作成した給紙段情報よりトップ画面７１０を作成する。コントローラ３００は、Ｓ４０７で作成した用紙リスト情報から用紙リスト画面７３０を作成する。なお、解像度の低い表示装置１１１の場合は、画面表示領域が狭いため、トップ画面７１０上に用紙リスト画面７３０を重ねて表示する場合がある。用紙リスト画面７３０を閉じてから、用紙管理システムを再起動した場合には、次回起動時にトップ画面７１０だけを表示するようにしてもよい。その場合は、オペレータは、起動後にトップ画面の用紙リストボタン７１１を押下することで、ステップＳ４０５、Ｓ４０７で取得した情報に従い用紙リスト画面７３０を表示する。
【００３８】
図５は、画像形成装置の起動フローを示す図である。図５のフローチャートに係る画像形成装置１０３のプログラムは、図２の外部記憶装置２１０に格納されており、ＲＡＭ２０２に読み出されＣＰＵ２０１によって実行される。画像形成装置１０３は起動するとＳ５０１に遷移する。Ｓ５０１にてコントローラ２００は、自身のモデル情報を外部記憶装置２１０より取得し、返信可能なデータとして作成する。
【００３９】
Ｓ５０１にてモデル情報のデータを作成したら、Ｓ５０２に遷移する。
【００４０】
Ｓ５０２にてコントローラ２００は、印刷インターフェース２０７を介してプリントエンジン２１３から自身の接続されているハードウェアオプション情報を取得し、ＲＡＭ２０２へ返信可能なデータとして作成する。Ｓ５０２にてハードウェアオプション情報のデータを作成したら、Ｓ５０３に遷移する。
【００４１】
Ｓ５０３にてコントローラ２００は自身の給紙段情報を取得したハードウェアオプション情報をＲＡＭ２０２より取得し、返信可能なデータとして作成する。Ｓ５０３にて給紙段情報のデータを作成したら、Ｓ５０４に遷移する。
【００４２】
Ｓ５０４にてコントローラ２００は自身の用紙リスト情報を外部記憶装置２１０より取得し、返信可能なデータとして作成する。Ｓ５０４にて用紙リスト情報のデータを作成したら、Ｓ５０５に遷移する。
【００４３】
Ｓ５０５にてコントローラ２００は印刷制御装置１０２よりモデル情報の問合せを受信したか判断する。もしモデル情報の問合せを受信していた場合は、Ｓ５０６に遷移し、Ｓ５０１で作成したモデル情報を返信しＳ５０７に遷移する。Ｓ５０５にてモデル情報の問合せを受信していない場合もＳ５０８に遷移する。
【００４４】
Ｓ５０７にてコントローラ２００は印刷制御装置１０２よりハードウェアオプション情報の問合せを受信したか判断する。もしハードウェアオプション情報の問合せを受信していた場合は、Ｓ５０８に遷移し、Ｓ５０２で作成したハードウェアオプション情報を返信しＳ５０９に遷移する。Ｓ５０７にてハードウェアオプション情報の問合せを受信していない場合もＳ５０９に遷移する。
【００４５】
Ｓ５０９にてコントローラ２００は印刷制御装置１０２より給紙段情報の問合せを受信したか判断する。もし給紙段情報の問合せを受信していた場合は、Ｓ５１０に遷移し、Ｓ５０３で作成した給紙段情報を返信しＳ５１１に遷移する。Ｓ５０９にて給紙段情報の問合せを受信していない場合もＳ５１１に遷移する。
【００４６】
Ｓ５１１にてコントローラ２００は印刷制御装置１０２より用紙リスト情報の問合せを受信したか判断する。もし用紙リスト情報の問合せを受信していた場合は、Ｓ５１２に遷移し、Ｓ５０４で作成した用紙リスト情報を返信しＳ５０５に遷移する。Ｓ５１１にて用紙リスト情報の問合せを受信していない場合もＳ５０５に遷移する。
【００４７】
説明を図７に戻す。給紙段１のボタン７１３を、ポインティングデバイス１１３等を用いて押下すると、図７（ｃ）の給紙段１の用紙設定画面７７０が表示される。７１４〜７１７は７１３と同じため、説明を省略する。本実施の形態では詳細に説明しないが、給紙段にはインサータや手差しトレイなどの給紙装置をすべて含むことはいうまでもない。また、以降の説明では、ボタン押下時等のアプリケーションの操作時にポインティングデバイス１１３等を使用するといった説明は省略するが、このような入力デバイスを使用して操作することはいうまでもない。
【００４８】
図７（ｃ）は給紙段１の用紙設定画面７７０である。用紙設定画面７７０は、ＣＰＵ３０１からの指示に従ってそのビデオメモリに描画すると共に、ビデオメモリに描画されたイメージデータをビデオ信号として表示装置１１１に出力され、表示される。７７０には、用紙リスト表示領域７７１と用紙情報表示領域７７２、調整項目の調整画面を出すボタン７７３、ここに表示していない他の用紙情報の設定画面を出すボタン７７４、ＯＫボタン７７５、キャンセルボタン７７６が表示される。７７１の用紙リスト表示領域は、用紙リスト画面７３０の７３１と同じ内容が表示されるため、詳細な説明は省略する。用紙設定画面７７０表示時は、用紙リスト表示領域７７１上で現在給紙段に設定されている用紙が選択状態になっている。７７１の用紙リストから用紙を選択した場合は、７７２に選択された用紙の情報を表示する。用紙リスト表示領域７７１で別の用紙を選択し、ＯＫボタン７７５を押下すると、コントローラ３００は、画像形成装置１０３に対して用紙設定を行う。用紙リスト表示領域７７１で別の用紙を選択し、キャンセルボタン７７６を押下すると、コントローラ３００は、画像形成装置１０３に対して用紙設定を行わず、用紙設定画面７７０を閉じる。７７２の用紙情報表示領域は現在選択されている用紙の設定情報を表示する。図７（ａ）のトップ画面７１０にある給紙段ボタン７１３を押下して、７７０の画面が開いた時には、給紙段１に現在割り当てられている用紙の情報を表示する。
【００４９】
７７２の用紙情報表示領域の各項目について説明する。オペレータの利便性向上のために、本実施形態では、一例として、オペレータが頻繁に利用する用紙情報のみを表示している。具体的には、用紙の名称と各種調整項目（画像位置調整、二次転写電圧の調整、カール補正量、光沢性／黒品位の調整、後端部白抜け補正、中綴じ設定、用紙ファンの風量調整である。各項目の説明については図７（ｂ）の用紙設定画面７５０で説明するため、ここでの説明は省略する。７７２の用紙情報表示領域では、現在選択されている用紙名称と、各種調整値が画像形成装置１０３の初期値から変更されているか否かを表示している。変更されていない場合には、調整なしと表示する。変更されている場合は、調整ありと表示する。印刷制御装置１０２から調整可能な項目についてはボタン７７３を表示し、対応する調整画面を表示できるようにしている。
【００５０】
ボタン７７４については、７７２の用紙情報表示領域に表示されていない情報を確認、設定変更する際に押下するボタンである。例えば、図７（ｂ）の用紙設定画面７５０を表示するようにしてもよい。
【００５１】
なお、本実施形態は、印刷制御装置１０２上で動く用紙管理アプリケーションとして説明をするが、用紙管理アプリケーションに限定されるものではない。クライアントコンピュータ１０１や画像形成装置１０３において同様の仕組みを実施する形態でもよい。
【００５２】
＜実施の形態１＞
実施の形態１である印刷制御装置１０２と画像形成装置１０３の処理について、図６を用いて説明する。図６（ａ）は、用紙管理システムの通信構成を示す図である。図６（ｂ）は、用紙管理フローを示す図である。これから説明する印刷制御装置１０２のプログラムは、図３の外部記憶装置３０９に格納されており、ＲＡＭ３０２に読み出されＣＰＵ３０１によって実行される。
【００５３】
本実施形態では、オペレータが、よく使う用紙に対して複数のお気に入り設定を可能にし、印刷時に用紙情報に含まれるお気に入り情報を使って所望の用紙を見つけ、用紙設定、印刷を行う例を説明する。本実施形態におけるお気に入りとは、オペレータの所望する用紙を見つけやすくするための識別情報である。本実施形態では一例として、用紙情報の一つとしてお気に入りＩＤを持たせている。印刷工場において、一度印刷した印刷物を追加で１００部印刷してほしいという追加受注を受けることがある。その場合、前回印刷した時と同じ用紙を使って印刷するため、よく追加受注を受ける納品先で使用する用紙をすぐに探し出せるように、用紙へお気に入り設定をする使われ方を想定している。具体的には、追加受注をよく受ける納品先向けに、例えば、お得意様Ａ社、お得意様Ｂ社、お得意様Ｃ社のような名前をつけたお気に入りを作り、各納品先で使う用紙に対してそれぞれお気に入り設定する使い方である。納品先が複数になった場合、一つのお気に入りだけでは区別できないため、用紙情報としては、お気に入りＩＤを複数持てるようにしている。
【００５４】
ここでは印刷工場が、お得意様Ａ社から社内チラシ（用紙：Ｍｏｈａｗａ  Ｃｏｌｏｒを使用）の印刷依頼を受注し、オペレータが社内チラシを印刷する流れを図６（ｂ）の流れで説明する。説明の前提として、印刷工場では、お気に入りの種類で、お得意様毎に使う用紙とほかの用紙とを区別できるようにしている。お気に入りとしては、お得意様Ａ社、お得意様Ｂ社、お得意様Ｃ社を登録しており、お得意様毎に使う用紙を登録済みである。
【００５５】
＜＜お気に入り管理手段＞＞
まず、お気に入りの管理手段について、図８と図１１を用いて説明する。図８（ａ）は、お気に入りグループの編集画面を示す図である。図８（ｂ）は、お気に入りグループの編集画面を示す図である。図８（ｃ）は、お気に入りグループの編集画面を示す図である。本実施形態としては、お気に入りの管理手段として図８（ａ）のお気に入り管理画面８１０がある。お気に入り管理画面８１０は、用紙設定画面７５０のお気に入り登録／編集ボタン７５３を押下することで表示される。トップ画面７１０の設定ボタン７１２を押下した時に表示される設定画面から、お気に入り管理画面８１０に遷移できるようにしてもよい。
【００５６】
図８（ａ）のお気に入り管理画面８１０は、お気に入り一覧８１１、登録ボタン８１２、編集ボタン８１３、削除ボタン８１４、閉じるボタン８１５で構成される。
【００５７】
お気に入り一覧８１１は、用紙管理システムとしてお気に入り設定テーブル１２３０で登録されているお気に入り名称を一覧表示する。コントローラ３００は、ＵＩ制御ユニット３５２に対して、設定管理ユニット３５７からお気に入り設定テーブル１２３０のお気に入り名称、お気に入りＩＤ、アイコンＩＤを取得し、お気に入り管理画面８１０を作成する。例えば、管理画面８１０では、お気に入り設定テーブル１２３０に従い、アイコンＩＤに対応するアイコン画像、お気に入り名称を縦に並べて表示している。お気に入り一覧８１１上で現在選択されているお気に入りが選択状態になっている。
【００５８】
図１２（ａ）は、用紙情報のテーブルを示す図である。図１２（ｂ）は、給紙段情報のテーブルを示す図である。図１２（ｃ）は、お気に入り情報のテーブルを示す図である。
【００５９】
ここで図１２のお気に入り設定テーブル１２３０について説明する。お気に入り設定テーブルは、用紙管理システムのお気に入りの種別を記憶するための設定テーブルである。お気に入り設定テーブル１２３０は、設定管理ユニット３５７で管理され、不揮発領域である外部記憶装置３０９に保存されている。お気に入り設定テーブル１２３０は、お気に入り名称、お気に入りＩＤ、アイコンＩＤで構成されている。お気に入り名称は、画面上でユーザに表示するための名称である。お気に入りＩＤは、お気に入り区別するための識別情報である。アイコンＩＤは、用紙リスト画面７３０などで、用紙リスト名称とならべてアイコンでどのお気に入りか区別できるようにするためのアイコンを識別するためのＩＤである。後述するアイコン一覧８２２、８３３で表示されているアイコンには、区別可能なアイコンＩＤがあらかじめ割り振られているものとする。例えば、丸数字１はアイコンＩＤ＝１、丸数字２はアイコンＩＤ＝２というように、アイコンの左から右へ連番でアイコンＩＤが１番から順番に振られている。コントローラ３００は、ＵＩ制御ユニット３５２に対して、アイコンＩＤに対応するアイコンを読み込み、アイコンを画面に表示するように制御する。
【００６０】
ボタン８１２は、お気に入りを新規で登録するボタンである。ボタン８１２が押下されると、コントローラ３００は、ＵＩ制御ユニット３５２に対して、お気に入り登録画面８２０を表示するように制御する。
【００６１】
ボタン８１３は、お気に入り一覧８１１で選択されているお気に入りを編集するボタンである。ボタン８１３が押下されると、コントローラ３００は、ＵＩ制御ユニット３５２に対して、お気に入り編集画面８３０を表示するように制御する。
【００６２】
ボタン８１４は、お気に入り一覧８１１で選択されているお気に入りを削除するボタンである。ボタン８１４が押下されると、コントローラ３００は、設定管理ユニット３５７に対して、選択中のお気に入りを削除するように制御する。
【００６３】
ボタン８１５は、お気に入り管理画面８１０を閉じるためのボタンである。ボタン８１５が押下されると、コントローラ３００は、ＵＩ制御ユニット３５２に対して、お気に入り管理画面８１０を閉じるように制御する。
【００６４】
次に、図８（ｂ）のお気に入り登録画面８２０について説明する。名称入力フィールド８２１、アイコン一覧８２２、ＯＫボタン８２３、キャンセルボタン８２４で構成される。名称入力フィールド８２１は、お気に入りの名称を入力することが可能なテキストフィールドである。名称を変更する場合は、テキストエリアにキーボード１１２等を使用して、文字を入力することが可能である。以降の説明では、入力時にキーボード１１４等を使用するといった説明は省略するが、このような入力デバイスを使用して文字を入力することはいうまでもない。ＯＫボタン８２３が押下されると、コントローラ３００は、設定管理ユニット３５７に対して、入力された名称、選択されたアイコンのアイコンＩＤをお気に入り設定テーブル１２３０に追加するように制御する。キャンセルボタン８２４が押下されると、コントローラ３００は、ＵＩ制御ユニット３５２に対して、お気に入り登録画面８２０を閉じるように成業する。アイコン一覧８２２は、用紙リスト画面７３０の用紙リスト表示領域７３１や用紙設定画面７５０のお気に入り設定領域７５２で表示可能なアイコン一覧である。オペレータは、本アイコンの中から、使用したいアイコンを１つ選択することが可能である。
【００６５】
次に、図８（ｃ）のお気に入り編集画面８３０について説明する。名称入力フィールド８３１、アイコン一覧８３２、ＯＫボタン８３３、キャンセルボタン８３４で構成される。名称入力フィールド８３１については、名称入力フィールド８２１と同じため説明を省略する。アイコン一覧８３２についても、アイコン一覧８２２と同じため説明を省略する。ＯＫボタン８３３が押下されると、コントローラ３００は、設定管理ユニット３５７に対して、選択中のお気に入りＩＤに該当するお気に入り箇所に対して、変更された名称、選択されたアイコンのアイコンＩＤを設定テーブル１２３０に書き込むように制御する。キャンセルボタン８３４については、キャンセルボタン８２４と同じため説明を省略する。
【００６６】
ここで、図８で説明した画面の画面遷移について図１１を用いて説明していく。図１１は、お気に入りグループを編集する際の画面遷移を示す図である。まず、お気に入りの新規登録の画面遷移について説明する。図１１の画面１１１０（用紙設定画面７５０）のお気に入り登録／編集ボタン１１１１が押下されると、コントローラ３００は、ＵＩ制御ユニット３５２に対して、画面１１２０（お気に入り管理画面８１０）を表示するように制御する。画面１１２０において、登録ボタン１１２２が押下されると、コントローラ３００は、ＵＩ制御ユニット３５２に対して、画面１１３０（お気に入り登録画面８２０）を表示するように制御する。画面１１３０において、名称入力フィールド１１３１に「お得意様Ｄ社」、アイコン一覧１１３２で「スペード」が選択され、ボタン１１３３が押下されると、コントローラ３００は、お気に入り設定テーブル１２３０に入力情報を追加する。具体的には、コントローラ３００は、設定管理ユニット３５７に対して、お気に入り名称に「お得意様Ｄ社」、お気に入りＩＤに４（現在１〜３まで使用済みのため）、アイコンＩＤに６を書き込むように制御する。コントローラ３００は、ＵＩ制御ユニット３５２に対して、画面１１３０を閉じるように制御する。
【００６７】
次に、登録済みのお気に入りを編集する際の画面遷移について説明する。画面１１２０において、お気に入り一覧１１２１で「お得意様Ａ社」が選択され、編集ボタン１１２３が押下されると、コントローラ３００は、ＵＩ制御ユニット３５２に対して、画面１１４０（お気に入り編集画面８３０）を表示するように制御する。画面１１４０において、名称入力フィールド１１４１に「お得意様Ｅ社」、アイコン一覧１１４２で「ハート」が選択され、ボタン１１４３が押下されると、コントローラ３００は、お気に入り設定テーブル１２３０に入力情報を上書きする。具体的には、コントローラ３００は、設定管理ユニット３５７に対して、お気に入りＩＤ＝１の領域に、お気に入り名称に「お得意様Ｅ社」、アイコンＩＤに７を書き込むように制御する。コントローラ３００は、ＵＩ制御ユニット３５２に対して、画面１１３０を閉じるように制御する。
【００６８】
最後に、登録済みのお気に入りを削除する際の画面遷移について説明する。画面１１２０において、お気に入り一覧１１２１で「お得意様Ａ社」が選択され、削除ボタン１１２４が押下されると、コントローラ３００は、用紙管理ユニット３５３に対して、選択中のお気に入りＩＤをもつ用紙があるか検索するように制御する。用紙管理ユニット３５３は、登録されているすべての用紙情報を取得し、各用紙の用紙情報のお気に入りＩＤに一致するＩＤがあるかを比較する。コントローラ３００は、お得意様Ａ社のお気に入りＩＤ＝１に属する用紙があると検出すると、検索を中断し、ＵＩ制御ユニット３５２に対して、警告画面１１５０を表示するように制御する。警告画面１１５０は、該当するお気に入りＩＤをもつ用紙が一つでも存在する場合、削除してよいか確認する警告画面である。警告画面１１５０は、メッセージ領域１１５１に警告のアイコン、文言を表示する。コントローラ３００は、はいボタン１１５２が押下されると、設定管理ユニット３５７に対して、設定テーブル１２３０からお気に入りＩＤ＝１（お得意様Ａ社）の行の設定を削除するように制御する。コントローラ３００は、用紙管理ユニット３５３に対して、用紙設定管理テーブル１２１０のすべての用紙に対して、用紙情報のお気に入りＩＤからお気に入りＩＤ＝１を削除する。例えば、用紙設定管理テーブル１２１０の用紙ＩＤ＝１の用紙（Ｍｏｈａｗｋ  Ｃｏｌｏｒ）は、お気に入りＩＤを２、３、４に上書きする。コントローラ３００は、ＵＩ制御ユニット３５２に対して、表示中の画面１１１０、用紙リスト画面７３０に対して、再描画するように制御する。なお、もし削除対象のお気に入りがいずれの用紙にも設定されていない場合には、コントローラ３００は、設定管理ユニット３５７に対して、設定テーブル１２３０からお気に入りＩＤ＝１（お得意様Ａ社）の行の設定を削除するように制御する。コントローラ３００は、ＵＩ制御ユニット３５２に対して、表示中の画面１１１０、用紙リスト画面７３０に対して、再描画するように制御する。以上が、お気に入りに管理手段に関する説明である。
【００６９】
＜＜お気に入り設定手段＞＞
次に、お気に入り設定手段について説明する。本実施形態では、お気に入りの登録手段としては図７（ｂ）の用紙設定画面７５０で設定する手段と、図１０に示す用紙リスト画面７３０上での右クリック操作で設定する２つの実施手段がある。
【００７０】
図７（ｂ）の用紙設定画面７５０で設定する手段について説明する。用紙設定画面７５０は、用紙の新規登録、登録済み用紙の編集を行うための画面である。用紙設定画面７５０は、用紙情報入力領域７５１、用紙情報の調整項目一覧７５４、調整項目一覧の表示グループを切り替えるプルダウンメニュー７５５、ＯＫボタン７５６、キャンセルボタン７５７で構成される。
【００７１】
用紙情報入力領域７５１は、用紙情報の中で用紙を扱うのに必要な最低限の設定項目を表示している。本実施形態では、例えば、設定項目としては、名称、坪量、色、表面性、サイズ、特徴、両面２面目、お気に入りを表示している。本説明では、お気に入りに注目して説明するため、お気に入り以外の設定項目は概要のみとする。オブジェクト７６１は用紙の名称を入力することが可能なテキストエリアである。名称を変更する場合は、テキストエリアにキーボード１１２等を使用して、文字を入力することが可能である。例えば、新規登録時には空欄にし、編集時は選択中の用紙名称が表示されるようにしてもよい。変更した情報を用紙情報に反映させるためには、用紙設定画面７５０のＯＫボタン７５６を押下する。ＯＫボタン７５６を押下することで、印刷制御装置１０２、画像形成装置１０３の用紙情報を変更することが出来る。
【００７２】
用紙設定画面７５０のＯＫボタン７５６を押下する。キャンセルボタン７５７を押下することで、用紙設定をキャンセルすることが出来る。オブジェクト７６２は坪量を入力することが可能なテキストエリアである。動作は、オブジェクト７６１の名称テキストエリアと同等なので、以降同様の場合は説明を省略する。オブジェクト７６３は用紙の色情報を表示し、一覧から選択可能なプルダウンメニューである。オブジェクト７６４は表面性情報を表示用紙の色を表示し、一覧から選択可能なプルダウンメニューである。オブジェクト７６５は用紙のサイズ情報を表示し、一覧から選択可能なプルダウンメニューリストである。７６６は、オブジェクト７６５でユーザー定義サイズが選択されたときに入力可能になる、用紙サイズの主走査、副走査方向の長さを入力することが可能なテキストエリアである。用紙設定画面７５０では、用紙サイズがＡ４であるため、入力できないようにグレーアウトされている。なお、入力単位はミリ、インチが切り替えられるようにミリ、インチを切り替える可能なボタンが配置されていてもよい。オブジェクト７６７は特長情報を表示し、一覧から選択可能なプルダウンメニューリストである。オブジェクト７６８は封筒のフラップ位置を表示し、一覧から選択可能なプルダウンメニューリストである。オブジェクト７６７で封筒が選択された場合に、入力可能になるプルダウンメニューリストである。オブジェクト７６９は両面２面目情報を表示し、設定ありなしを切り替えられるラジオボタンである。両面２面目情報とは、すでに表面に定着済みの紙を給紙段に入れて、裏面を定着する場合に転写の電圧を変える設定である。
【００７３】
お気に入り設定領域７５２は、お気に入り設定テーブル１２３０に保存されているお気に入り一覧を表示し、いずれのお気に入りに所属させるか設定可能なメニューである。ここでは、チェックボックス付でお気に入り一覧が７５２のように表示され、チェックボックスにチェックが入っていると、対象のお気に入りに所属していることを示す。例えば、７５２では３つのお気に入り（お得意様Ａ社、お得意様Ｂ社、お得意様Ｃ社）にチェックが入っていないので、いずれのお気に入りにも属していないということを示す。変更した情報を用紙情報に反映させるためには、用紙設定画面７５０のＯＫボタン７５６を押下する。ＯＫボタン７５６を押下することで、印刷制御装置１０２、画像形成装置１０３の用紙情報を変更することが出来る。用紙設定画面７５０の作成指示を受けると、コントローラ３００は、設定管理ユニット３５７に対して、お気に入り設定テーブル１２３０を取得するように制御する。コントローラ３００は、ＵＩ制御ユニット３５２に対して、取得したお気に入り設定テーブル１２３０の情報に従い、用紙設定画面７５０を表示するように制御する。
【００７４】
お気に入り登録／編集ボタン７５３は、お気に入り管理画面８１０を表示するためのボタンである。お気に入り管理画面８１０については、すでに説明済みのため説明を省略する。
【００７５】
調整項目一覧７５４は、用紙情報に含まれる設定値で調整可能な項目について、名称、調整あり／なし、表示グループが一覧表示されている。なお、調整項目の調整は、７５４で調整項目を選択すると、用紙設定画面７５０に調整値の詳細値と調整ボタンが表示され、調整ボタン押下で対象の調整画面が表示されるようになってもよい。７５４に表示されている調整項目について概要を説明する。光沢性／黒品位の調整とは、普通紙やコ−ト紙を使用するときなどに、定着器の温度を調整することで、出力画像の光沢を調整する項目である。表示グループとしては、画質と定義する。二次転写電圧の調整とは、トナー像を用紙に転写する際の電圧を変える調整項目である。表示グループとしては、画質と定義する。後端部白抜け補正とは、搬送方向に対する用紙の後端で、トナーが白く抜けたり、色が薄くなる場合に転写電圧を変える調整項目である。表示グループとしては、画質と定義する。二次転写除電バイアス調整とは、中間転写ベルトに残った静電気を除去するための電圧値（除電バイアス）を変更する調整項目である。表示グループとしては、画質と定義する。ＩＴＢの画像除去調整とは、中間転写ベルトの画像除去の程度を変える調整項目である。表示グループとしては、画質と定義する。トナー量調整モードとは、トナーの総量を変える調整項目である。表示グループとしては、画質と定義する。一次転写電圧の調整とは、中間転写ベルトからトナー像を用紙に転写する際の電圧を変える調整項目である。表示グループとしては、画質と定義する。
【００７６】
レジループ量の調整とは、画像位置を調整する際に形成される用紙のたわみの量を変更する調整項目である。表示グループとしては、画質と定義する。レジ速度の調整とは、画像位置を調整するときの速さを変える調整項目である。表示グループとしては、画質と定義する。画像こすれ補正の調整とは、水分量のムラによって用紙が変形し、搬送不良発生したことが原因の画像の乱れや濃度ムラ発生時に、搬送速度を変える調整項目である。表示グループとしては、画質と定義する。定着圧力の調整とは、定着圧力を変える調整項目である。表示グループとしては、画質と定義する。定着速度の調整とは、定着速度を変える調整項目である。表示グループとしては、画質と定義する。
【００７７】
画像位置調整とは、表面、裏面の用紙に対する印字位置を変える調整項目である。表示グループとしては、画像位置と定義する。先端／後端余白調整とは、印刷時の搬送方向に対して先端側と後端側の余白の長さを変える調整項目である。表示グループとしては、画像位置と定義する。横レジの自動調整とは、画像が搬送方向に対して垂直（横）にずれないように調整する項目である。表示グループとしては、画像位置と定義する。用紙さばきファンの風量調整とは、用紙をさばく際のファンの風量を変える調整項目である。表示グループとしては、用紙搬送と定義する。定着前搬送ファンの風量調整とは、定着前搬送ファンの風量を変える調整項目である。表示グループとしては、用紙搬送と定義する。
【００７８】
プルダウンメニュー７５５は、調整項目一覧７５４をグループごとにフィルタ表示するためのフィルタを選択可能にするプルダウンメニューである。例えば、プルダウンメニュー７５５で、画質を選択されると、コントローラ３００は、ＵＩ制御ユニット３５２に対して、調整項目一覧７５４で表示グループが画質である調整項目のみ表示するよう制御する。
【００７９】
次に、用紙リスト画面７３０上での右クリック操作でお気に入り設定する手段について図１０と図１３（ａ）を用いて説明する。
【００８０】
図１０は、お気に入り登録する際の画面遷移を示す図である。図１３は（ａ）は、お気に入り登録処理のフローを示す図である。図１３（ｂ）は、お気に入り表示のフローを示す図である。
【００８１】
ステップＳ１３０１において、コントローラ３００は、用紙リスト画面１０１０で、ミグクリックを検知すると、ＵＩ制御ユニット３５２に対して、表示中の用紙のお気に入りアイコン領域１０１１が右クリックされたかどうか判断するように制御する。例えば、用紙リスト表示領域７７１において、最初の列にお気に入りアイコン表示用の列を作っておく。コントローラ３００は、ＵＩ制御ユニット３５２に対して、クリックされた行番号と列番号を取得し、列番号がお気に入りアイコン表示用の列の番号と一致するかで判断する。どの用紙が選択されているかは、用紙リスト表示領域７７１のどの行がクリックされたか行番号で判断する。また、コントローラ３００は、ＵＩ制御ユニット３５２からクリックの種別を取得し、右クリックかどうか判断する。
【００８２】
ステップＳ１３０２において、コントローラ３００は、ＵＩ制御ユニット３５２に対して、クリックされた行番号、列番号から選択されたメディアのお気に入りＩＤを取得するように制御する。
【００８３】
ステップＳ１３０３において、コントローラ３００は、ＵＩ制御ユニット３５２に対して、用紙リスト画面１０２０のお気に入り登録メニュー１０２１を表示するように制御する。例えば、コントローラ３００は、設定管理ユニット３５７から取得したお気に入り設定テーブル１２３０を取得して、お気に入り登録メニュー１０２１に表示するお気に入り名称、アイコンを画面に埋め込む（付与する）ように制御する。コントローラ３００は、ＵＩ制御ユニット３５２に対して、ステップ１３０２で取得した選択された用紙のお気に入り設定に従い、お気に入り登録メニュー１０２１のお気に入りの中で、一致するお気に入りＩＤに対してチェックをつけるように制御する。お気に入り登録メニュー１０２１は、複数のお気に入りにチェックをつけることが可能である。
【００８４】
ステップＳ１３０４において、コントローラ３００は、ＵＩ制御ユニット３５２に対して、お気に入りのチェックボックスの状態変化を検知するように制御する。具体的には、お気に入り登録メニュー１０２１のチェックボックスがクリックされたかを検知する。例えば、お気に入り登録メニュー１０２１において、お得意様Ｃ社をクリックされた場合には、コントローラ３００は、ＵＩ制御ユニット３５２に対して、お得意様Ｃ社のチェックボックスにチェックを入れ、ステップＳ１３０５へ処理を進めるように制御する。お得意様Ｃ社をクリックされない場合には、コントローラ３００は、検知処理を継続する。もし、お気に入り登録メニュー１０２１以外の領域がクリックされた場合には、コントローラ３００は、ＵＩ制御ユニット３５２に対して、お気に入り登録メニュー１０２１を閉じるように制御する。
【００８５】
ステップＳ１３０５において、コントローラ３００（用紙管理ユニット３５３）は、選択されている用紙の用紙設定管理テーブル１２１０の領域を制御する。これにより、お気に入り登録メニュー１０２１のチェックが入っているお気に入りＩＤが上書きされる。なお、お気に入りのチェックすべて入っていない場合には、用紙設定管理テーブル１２１０のお気に入りＩＤに設定なしを設定する。コントローラ３００は、用紙設定管理テーブル１２１０への書き込みが完了すると、ＵＩ制御ユニット３５２に対して、お気に入り登録メニュー１０２１を閉じるように制御する。コントローラ３００は、ＵＩ制御ユニット３５２に対して、表示中の用紙リスト画面１０２０、および用紙設定画面７７０の用紙リスト表示領域をお気に入りＩＤに従い、お気に入りのアイコンを更新する。コントローラ３００は、お気に入りＩＤが１つの場合には、お気に入りＩＤに対応するアイコンを表示する。コントローラ３００は、お気に入りＩＤが２つ以上の場合には、お気に入り登録メニュー１０２１で登録対象のお気に入りのアイコンとは異なる、複数のお気に入りが設定されていることを意味するアイコンを表示する。例えば、図１０のオブジェクト１０２２のようなアイコンとする。コントローラ３００は、お気に入りＩＤが設定なしの場合は、お気に入りのアイコンを表示しない。
【００８６】
以上が、用紙リスト画面１０１０で選択中の用紙のお気に入りアイコンを右クリックした際のお気に入り設定手段についての説明である。なお、ここでは説明の都合上、選択された一つの用紙に対する右クリックのお気に入り設定手段を説明したが、複数用紙を選択して右クリックすることで、選択中のすべての用紙に対して一括してお気に入りを登録できるようにしてもよい。例えば、用紙リスト画面１０１０で、複数用紙をＣｔｒｌ＋左クリックで選択し、お気に入りアイコン領域１０１１を右クリックされたとする。コントローラ３００は、ステップＳ１３０３において、ＵＩ制御ユニット３５２に対して、お気に入り登録メニュー１０２１をすべてのチェックが外して表示するように制御する。ステップＳ１３０４において、コントローラ３００は、いずれかのお気に入りがチェックされたことを検知し、ステップＳ１３０５へ処理を進める。ステップＳ１３０５において、コントローラ３００は、用紙管理ユニット３５３に対して、選択中の用紙すべてに用紙ＩＤに対応する用紙設定管理テーブル１２１０のお気に入りＩＤを書き込む処理を行う。書き込むお気に入りＩＤとしては、現在書き込み対象の用紙ＩＤに設定されているお気に入りＩＤとお気に入り登録メニュー１０２１でチェックが入っているお気に入りＩＤの論理和をとったお気に入りＩＤを書き込む。例えば、用紙ＩＤ＝１，２の用紙選択されている状態で、お気に入り登録メニュー１０２１でお得意様Ｂ社にチェックを入れた場合、用紙ＩＤ＝１のお気に入りＩＤは１，２で書き込む。また、用紙ＩＤ＝２のお気に入りＩＤは１，２で書き込む。
【００８７】
なお。本実施形態では、右クリックでお気に入り登録メニュー１０２１を出す形態を一例として記載したが、右クリックに限定されるものでない。例えば、キーボードのショートカットキーとして、特定のキー押下によってお気に入り登録メニュー１０２１を表示してもよい。または、特定のキー押下の組み合わせで、お気に入り登録メニュー１０２１を出さずにキーに対応するお気に入りを登録できるようにしてもよい。
【００８８】
＜＜お気に入り表示手段＞＞
ここから、上記で説明したお気に入り情報を使って、オペレータが社内チラシを印刷する流れを図６（ｂ）の流れで説明する。
【００８９】
ステップＳ６０１において、オペレータは用紙管理システムのトップ画面７１０の用紙リストボタン７１１を押下する。
【００９０】
ステップＳ６０２において、印刷制御装置１０２のコントローラ３００は、ＵＩ制御ユニット３５２に対して、用紙管理ユニット３５３から用紙設定管理テーブル１２１０取得するように制御する。コントローラ３００は、ＵＩ制御ユニット３５２に対して、取得した用紙リストに従い、用紙リスト画面９１０を作成するように制御する。
【００９１】
ここで、用紙リスト画面の詳細について図７（ａ）の用紙リスト画面７３０を使って説明する。用紙リスト画面７３０は、ＣＰＵ３０１からの指示に従ってそのビデオメモリに描画すると共に、ビデオメモリに描画されたイメージデータをビデオ信号として表示装置１１１に出力され、表示される。画面７３０には、用紙リスト表示領域７３１と用紙リストの表示方法を選択するプルダウンメニュー７３２、用紙の検索入力エリア７３３、用紙リストへの用紙追加ボタンを表示する。用紙追加ボタンとしては、用紙リストに新規用紙を登録する新規登録ボタン７３４、用紙リストに既存の用紙を複製する複製ボタン７３５、用紙データベースから用紙を作成するデータベースから登録ボタン７３６が表示される。
【００９２】
図９は、給紙段に用紙登録する際の画面遷移を示す図である。オブジェクト７３１の用紙リスト表示領域について説明する。オブジェクト７３１は用紙リストを表示する表である。列に用紙情報を、行に用紙が設定される。表示されている用紙の属性情報以外を表示したい場合は、オブジェクト７３７のスライダーバーを操作することで表示可能となる。また、表示されている用紙以外を表示したい場合は、オブジェクト７３８のスライダーバーを操作することで表示可能となる。選択中の用紙は、選択されていることが分かるように反転表示されている。オブジェクト７３１の用紙リストの表より、選択されていない用紙いずれかを選択すると、７３１の用紙表示領域に選択中の用紙の情報が表示される。本実施形態では、お気に入りアイコンが表示されている列７３９を右クリックすると図１０のお気に入り登録メニュー１０２１を表示し、それ以外の列７４０を右クリックすると図９の用紙登録コンテキストメニュー９３２が表示される。なお、このように列７３９と列７４０で処理を変えているが、両方の列に対して左クリックを実施した際の処理としては共通の処理として、左クリックされた用紙が選択状態になるようにしている。なお、もし、用紙が複数選択された状態で、列７４０が右クリックされた場合、例えば、コントローラ３００は、ＵＩ制御ユニット３５２に対して、用紙登録コンテキストメニュー９３２を表示しないように制御する。これは、一つの給紙段に対して、複数用紙を設定することはないためである。なお、別の実現手段として、複数選択を外して、最後にクリックした用紙のみを選択状態にし、選択中の用紙（最後にクリックした用紙）に対する、用紙登録コンテキストメニュー９３２を表示するように制御してもよい。
【００９３】
７３２の用紙リストの表示方法を選択するプルダウンメニューについて説明する。プルダウンメニュー７３２では、オブジェクト７３１の用紙リスト表示領域の表示手段を表示している。本実施形態では、一例として、すべてを表示、お得意様Ａ社、お得意様Ｂ社、お得意様Ｃ社、履歴という表示手段とする。画面表示時にはすべてを表示が選択されているものとする。
【００９４】
お得意様Ａ社、お得意様Ｂ社、お得意様Ｃ社というのは、用紙情報のお気に入りＩＤごとにオブジェクト７３１の用紙リスト表示領域の表示内容をフィルタするための選択肢である。
【００９５】
ステップＳ６０３において、コントローラ３００は、ＵＩ制御ユニット３５２に対して表示装置１１１へ用紙リスト画面９１０を表示するように制御する。
【００９６】
ステップＳ６０４において、オペレータは、プルダウンメニュー７３２で、お得意様Ａ社を選択する。
【００９７】
ステップＳ６０５において、コントローラ３００（ＵＩ制御ユニット３５２）は、プルダウンメニュー９１１の変更を検知する。そして、コントローラ３００は、用紙設定管理テーブル１２１０の用紙情報からプルダウンメニュー９１１の選択に従い、用紙リストを作成する。例えば、プルダウンメニュー９１１で図１０のようにお得意様Ａ社が選択されると、コントローラ３００は、用紙設定管理テーブル１２１０の用紙情報のお気に入りＩＤを参照し、お得意様Ａ社（お気に入りＩＤ＝１）を含むか否か判断する。コントローラ３００は、ＵＩ制御ユニット３５２に対して、一致する用紙を用紙リスト表示領域７３１に追加する。図１３（ｂ）のフローチャートを用いて処理の流れを説明する。
【００９８】
ステップＳ１３２１において、コントローラ３００は、ＵＩ制御ユニット３５２に対して、用紙リスト表示領域７３１に表示する用紙情報の行番号ｎの初期値を０とするように制御する。
【００９９】
ステップＳ１３２２において、コントローラ３００は、ＵＩ制御ユニット３５２に対して、表示対象のお気に入りを取得するため、プルダウンメニュー９１１の選択内容を参照する。ここでは、お気に入りとして、お得意様Ａ社（お気に入りＩＤ＝１）が取得できる。
【０１００】
ステップＳ１３２３において、コントローラ３００は、用紙管理ユニット３５３に対して、用紙設定管理テーブル１２１０のｎ＋１行目（１行目）の用紙情報を取得し、取得した用紙情報のお気に入りＩＤを参照する。ここでは、用紙（Ｍｏｈａｗｋ  Ｃｏｌｏｒ）のお気に入りＩＤ＝１が取得される。
【０１０１】
ステップＳ１３２４において、コントローラ３００は、ＵＩ制御ユニット３５２に対して、ステップＳ１３２３で取得したお気に入りＩＤがステップＳ１３２２で取得したお気に入りＩＤと一致するか判断するように制御する。ここでは、お気に入りＩＤ＝１と一致するかどうか判断する。一致した場合は、コントローラ３００は、ステップＳ１３２５へ処理を進める。一致しなかった場合には、コントローラ３００は、ステップＳ１３２６へ処理を進める。ここでは、用紙（Ｍｏｈａｗｋ  Ｃｏｌｏｒ）のお気に入りＩＤは、お気に入りＩＤ＝１と一致するため、処理をステップＳ１３２５へ進める。
【０１０２】
ステップＳ１３２５において、コントローラ３００は、ＵＩ制御ユニット３５２に対して、ｎ＋１行目の用紙情報を用紙リスト表示領域７３１に追加する。ここでは、コントローラ３００は、用紙（Ｍｏｈａｗｋ  Ｃｏｌｏｒ）を用紙リスト表示領域７３１に追加する。
【０１０３】
ステップＳ１３２６において、コントローラ３００は、ＵＩ制御ユニット３５２に対して、用紙リスト表示領域７３１に表示する用紙情報の行番号ｎを１インクリメントする。
【０１０４】
ステップＳ１３２７において、コントローラ３００は、用紙管理ユニット３５３に対して、用紙設定管理テーブル１２１０の終端に到達したかどうかを判断する。終端に到達した場合には、コントローラ３００は、ステップＳ１３２８へ処理を進める。終端に到達していない場合には、コントローラ３００は、ステップＳ１３２３へ処理を進め、残りの用紙設定テーブルの用紙情報に対してステップＳ１３２３〜ステップＳ１３２６を繰り返し処理する。ここでは、用紙設定管理テーブル１２１０には用紙情報が残っているため、コントローラ３００は、ステップＳ１３２３へ処理を進める。コントローラ３００は、用紙管理ユニット３５３に対して、用紙設定管理テーブル１２１０のｎ＋１行目（２行目）の用紙情報を取得し、ステップＳ１３２３〜ステップＳ１３２６の処理を進める。
【０１０５】
ステップＳ１３２８において、プルダウンメニュー９１１の選択内容に一致する用紙のみを用紙リスト表示領域７３１に表示する準備ができたので、コントローラ３００は、ＵＩ制御ユニット３５２に対して、用紙リスト画面９２０を表示するように制御する。なお、お気に入りＩＤが複数登録されている用紙（例えば、図１２の１２１０の用紙（用紙ＩＤ＝２））の場合は、プルダウンメニュー９１１でお得意様Ａ社およびお得意様Ｂ社のどちらを選択しても、用紙リスト表示領域７３１に表示される。
【０１０６】
説明を図６に戻す。ステップＳ６０６において、コントローラ３００は、ＵＩ制御ユニット３５２に対して、ステップＳ６０５でお得意様Ａ社フィルタ済みの用紙リスト表示領域７３１を含む用紙リスト画面９２０を表示するように制御する。換言すると、用紙リスト画面９２０は、お得意様Ａ社に紐付く用紙情報のみを一覧可能である。
【０１０７】
なお、プルダウンメニュー９１１の選択内容にかかわらず、列７３９をクリックした場合には、１０２１にはすべてのお気に入りが表示されるものとする。例えば、プルダウンメニュー９１１がお得意様Ａ社になっていたとしても、オブジェクト１０２１にはお得意様Ａ社、お得意様Ｂ社、お得意様Ｃ社が表示されるものとする。
【０１０８】
ステップＳ６０７において、オペレータは、お得意様Ａ社の印刷で使う用紙（Ｍｏｈａｗｋ  Ｃｏｌｏｒ）９２１を左クリックで選択する。コントローラ３００は、ＵＩ制御ユニット３５２に対して、左クリックで選択された用紙情報９２１を用紙情報９３１のように選択状態となるように制御する。オペレータは、用紙を給紙段へ割り当てるために名称の領域を右クリックする。
【０１０９】
ステップＳ６０８において、コントローラ３００は、図７（ａ）の列７４０で説明したようにお気に入りアイコン以外の列で右クリックを検知した場合、ＵＩ制御ユニットに対して、用紙登録コンテキストメニュー９３２を作成するように制御する。コントローラ３００は、用紙管理ユニット３５３から用紙９３１に該当する用紙設定管理テーブル１２１０の設定可能給紙段ＩＤを取得し、給紙段管理テーブル１２２０から対応する給紙段名称を取得するように制御する。例えば、図９の例では、コントローラ３００は、用紙９３１（用紙ＩＤ＝１）の設定可能給紙段ＩＤ＝｛１、２、３、４、５｝を取得し、給紙段管理テーブル１２２０から各給紙段ＩＤの給紙段名称を取得する。この例では、用紙カセット１、用紙カセット２、用紙カセット３、用紙カセット４、手差しトレイが取得され、コントローラ３００は、ＵＩ制御ユニット３５２に対して、用紙登録コンテキストメニュー９３２を作成する。
【０１１０】
ステップＳ６０９において、コントローラ３００は、ＵＩ制御ユニット３５２に対して、用紙登録コンテキストメニュー９３２を表示するように制御する。
【０１１１】
ステップＳ６１０において、オペレータは用紙登録コンテキストメニュー９３２から用紙を登録する給紙段（用紙カセット１）を選択する。
【０１１２】
ステップＳ６１１において、コントローラ３００は、用紙管理ユニット３５３に対して、選択中の用紙９３１に対応する用紙設定管理テーブル１２１０の情報を用紙カセット１（給紙段ＩＤ＝５）に登録するための用紙設定指示を作成するように制御する。コントローラ３００は、ネットワーク制御ユニット３５５に対して、ＬＡＮコントローラ３０６を制御して制御ケーブル１０８を経由して画像形成装置１０３へ用紙設定指示を送信する。
【０１１３】
ステップＳ６１２において、画像形成装置１０３のコントローラ２００は、ＬＡＮコントローラ２０６で用紙設定指示を受信すると、指定された給紙段（ここでは用紙カセット１）に対して、受信した用紙９３１の用紙情報を設定する。図６では、右クリックを用いた用紙設定手段で説明しているが、本実施形態では図９に示すように用紙９３１をドラックして、トップ画面９４０の用紙カセット１の給紙段ボタン９４１へドロップすることで用紙設定できる。コントローラ３００は、用紙設定を行った用紙の使用履歴をカウントアップし、用紙管理ユニット３５３に対して、対象の用紙ＩＤの用紙設定管理テーブル１２１０の使用履歴に使用履歴を書き込むように制御する。
【０１１４】
ステップＳ６１３において、オペレータは、画像形成装置１０３の用紙カセット１を開け、用紙９３１の紙束をセットする。オペレータは、用紙カセット１を閉じる。
【０１１５】
以上が、印刷に使う用紙を設定する手順の説明である。ここから、用紙９３１を使ったＡ社ジョブ１を印刷する流れを説明する。
【０１１６】
ステップＳ６１４において、オペレータはクライアントコンピュータ１０１からＡ社ジョブ１を作成し、用紙９３１を使用するように設定変更したうえで、印刷制御装置１０２へ印刷アプリケーション、またはプリンタドライバを使用して印刷指示を出す。印刷指示には、印刷で使用する用紙の種類や給紙段の指定などが含まれ、印刷指示時に印刷アプリケーション、またはプリンタドライバのＵＩで指定される。クライアントコンピュータ１０１は、印刷処理の実行指示としてＰＤＬ（Ｐａｇｅ  Ｄｅｓｃｒｉｐｔｉｏｎ  Ｌａｎｇｕａｇｅ）データを印刷制御装置１０２に送信する。本実施例では、ＰＤＬデータには印刷で使用する用紙の種類または給紙段が指定されているものとする。ここでは、プリンタドライバのＵＩで給紙段として用紙カセット１が指定されているものとする。
【０１１７】
ステップＳ６１５において、印刷制御装置１０２のコントローラ３００は、受信されたＰＤＬデータに基づいてＲＩＰ（Ｒａｓｔｅｒ  Ｉｍａｇｅ  Ｐｒｏｃｅｓｓｏｒ）処理し、画像形成装置１０３で読み込み可能なラスターイメージデータ等を生成する。コントローラ３００は、ＰＤＬデータに含まれる印刷指示を解析し、印刷処理に用いられる印刷設定情報を作成する。
【０１１８】
ステップＳ６１６において、コントローラ３００は、該画像データ及び印刷処理に用いられる印刷設定情報を印刷データとして画像形成装置１０３にそれぞれ送信する。ここでは、印刷データに給紙段として用紙カセット１が指定されている。本実施形態では、コントローラ３００は、ネットワーク制御ユニット３５５に対して、ＬＡＮコントローラ３０６を制御して、制御ケーブル１０８を経由して印刷設定情報を画像形成装置１０３へ送信するように制御する。また、コントローラ３００は、ジョブ管理ユニット３５６に対して、ビデオインターフェース３１０を制御して、画像ビデオケーブル１０７を経由して該画像データを画像形成装置１０３へ送信するように制御する。
【０１１９】
ステップＳ６１７において、画像形成装置１０３のコントローラ２００は、受信した印刷データに従い、指定された給紙段、または指定された用紙の種類が登録された給紙段から紙を給紙するように制御する。ここでは、印刷データに給紙段として用紙カセット１が指定されているため、用紙カセット１を使用する。
【０１２０】
ステップＳ６１８において、コントローラ２００は、印刷インターフェース２０７を介して接続される印刷部（プリンタエンジン）２１３に出力情報としての画像信号を出力し印刷するように制御する。
【０１２１】
以上がお気に入り表示を使用して、所望の用紙を見つけ、印刷する一連の流れについて説明した。これによって、オペレータは、複数のお得意様（納品先）ごとに所望の用紙が決まっているような使われ方においても、オペレータが所望する用紙（お得意様Ａ社の用紙Ｍｏｈａｗｋ  Ｃｏｌｏｒ）を容易に見つることが可能となる。これにより、ディジタル複合機用紙に関する用紙設定操作を行うオペレータの利便性が向上する。
【０１２２】
＜実施の形態２＞
実施の形態１において、お気に入り設定手段でお気に入りされたお気に入り用紙が多くなった場合、お気に入り表示を行っても用紙をすぐに見つけることが難しくなってくる場合がある。例えば、お気に入りとしてお得意様Ａ社、お得意様Ｂ社、お得意様Ｃ社を用意して、納品先ごとに使用する用紙をお気に入り設定する運用をしていたとする。しかし、お得意様Ａ社からの受注する印刷成果物の種類が増え、お得意様Ａ社に所属する用紙が多くなってスクロールしないとならない状況になったとする。オペレータは、お得意様Ａ社の印刷を行うときに、用紙リスト画面７３０でプルダウンメニュー７３２をお得意様Ａ社にしてフィルタをかけても所望の用紙を見つけにくくなってしまう。
【０１２３】
そこで、本実施形態では、前記状況になった場合、不要なお気に入り用紙を削除して、所望の用紙を見つけやすい状況を維持することができるようにする。具体的には、お気に入り設定手段実施後に、お気に入り設定がされた用紙合計数が所定の閾値に到達した場合、お気に入り設定を解除する画面を表示するようにする。
【０１２４】
本実施形態の処理について図１４、図１５を用いて説明する。図１４は、お気に入り登録をする際の画面遷移を示す図である。図１５は、お気に入り登録処理のフローを示す図である。なお、お気に入り登録処理の説明については、実施の形態１で説明済みのため、以降では説明を省略する。図１４の用紙リスト画面１４１０において、オペレータは、用紙１４１１が選択されている状態で、お気に入りアイコン領域１４１２を右クリックする。オペレータは、お気に入り登録メニュー１４１３において、お得意様Ｃ社にチェックを入れる。
【０１２５】
ここからは、図１５のフローチャートを用いて説明する。
【０１２６】
ステップＳ１５０１において、コントローラ３００は、用紙管理ユニット３５３に対して、お気に入り設定がされている用紙合計数を計算し、所定の閾値を越えるか判断するように制御する。例えば、お気に入り設定がされている用紙合計数は、用紙設定管理テーブル１２１０の用紙情報を参照し、お気に入りＩＤが設定されている用紙の数を数えることで計算する。もし、お気に入り設定がされている用紙合計数が閾値を越えた場合、コントローラ３００は、ステップＳ１５０２へ処理を進める。もし、お気に入り設定がされている用紙合計数が閾値を越えなかった場合には、何もせずにお気に入り設定処理を終了する。
【０１２７】
ステップＳ１５０２において、コントローラ３００は、お気に入り解除画面１４２０を表示するために、用紙管理ユニット３５３に対して、いずれかのお気に入りに所属する用紙情報のみが追加された用紙リスト表示領域１４２２を生成するように制御する。気に入り解除画面１４２０は、用紙情報の設定されたお気に入り登録を解除可能な画面である。お気に入り解除画面１４２０には、登録解除を促すメッセージが表示される。基本的な処理の流れは、図１３（ｂ）のステップＳ１３２１〜Ｓ１３２７の処理フローと同様なので、ここでは違う部分のみを説明する。
【０１２８】
ステップＳ１３２１は、処理内容に違いがないため説明を省略する。
【０１２９】
ステップＳ１３２２において、コントローラ３００は、表示対象のお気に入りとして、お気に入り設定テーブル１２３０に登録されているお気に入りＩＤすべてを表示対象とする。ここでは、お気に入りＩＤ＝１、２、３を表示対象とする。
【０１３０】
ステップＳ１３２３は、処理内容に違いがないため説明を省略する。
【０１３１】
ステップＳ１３２４において、コントローラ３００は、用紙設定管理テーブル１２１０のｎ＋１行目の用紙情報のお気に入りＩＤが、お気に入りＩＤ＝１、２、３のいずれかに一致するかチェックする。いずれかのお気に入りＩＤに一致する場合には、ステップＳ１３２５へ処理を進める。いずれかのお気に入りＩＤに一致しない場合には、ステップＳ１３２６へ処理を進める。
【０１３２】
ステップＳ１３２６は、処理内容に違いがないため説明を省略する。
【０１３３】
ステップＳ１３２７は、処理内容に違いがないため説明を省略する。用紙設定管理テーブル１２１０のすべての用紙に対してここまでの処理を経て、ステップＳ１５０２が完了する。
【０１３４】
ステップＳ１５０３において、コントローラ３００は、ＵＩ制御ユニット３５２に対して、ステップＳ１５０２で作成した用紙リスト表示領域１４２２を、表示領域の使用履歴の回数の少ない順番（昇順）になるように用紙の順番を並び替えるように制御する。
【０１３５】
ステップＳ１５０４において、コントローラ３００は、ＵＩ制御ユニット３５２に対して、お気に入り解除画面１４２０を表示するように制御する。
【０１３６】
お気に入り解除画面１４２０は、用紙リストの表示方法を選択するプルダウンメニュー１４２１、用紙リスト表示領域１４２２、用紙の検索入力エリア１４２７、お気に入り解除画面１４２０を閉じるための閉じるボタン１４２６で構成されている。用紙リスト表示領域１４２２は、７３７、７３８と同様のスライダーバー１４２４、１４２５をもつ。プルダウンメニュー１４２１以外は、用紙リスト画面７３０と同様のため、説明は省略する。違いは、プルダウンメニュー１４２１にお気に入りいずれかに該当する意味の「お気に入り」という選択肢を表示している点である。ここでは、「お気に入り」はお気に入りＩＤ＝１，２、３のいずれかに該当するという意味を示す。なお、本実施形態では、お気に入り解除画面１４２０に、お気に入り解除画面１４２０を以降表示するかしないか切り替えるチェックボックスを設けてもよい。
【０１３７】
以上がお気に入りの数が所定数よりも増えた時に、不要なお気に入り用紙を削除する手段に関する説明である。これによって、お気に入りの登録数が増えた場合、所望の用紙を見つけやすくするため不要なお気に入りの削除を促す画面へ誘導できる。オペレータは、不要なお気に入りを削除することで所望の用紙を見つけやすさを維持することが可能になる。そのため、オペレータは、所望する用紙を容易に見つることが可能となる。
【０１３８】
＜実施の形態３＞
実施の形態２において、お気に入りの数が増えた時に、不要なお気に入り用紙を削除する手段について説明した。しかし、お気に入り解除画面から、解除したい用紙を一つずつ選択してお気に入りを解除するのは手間がかかる。特に、不要なお気に入りのグループ自体がある場合は、グループ自体を削除したほうが、オペレータにとってお気に入りの解除がしやすい場合がある。
【０１３９】
そこで、本実施形態では、前記状況（特定の条件）になった場合、実施の形態２とは違い、不要なお気に入りのグループを削除して、所望の用紙を見つけやすい状況を維持することができるようにする。具体的には、お気に入り設定手段実施後に、お気に入り設定がされた用紙合計数が所定の閾値に到達した場合、お気に入り解除画面１６２０を表示するようにする。
【０１４０】
本実施形態の処理について図１６、図１７を用いて説明する。図１６は、お気に入り登録をする際の画面遷移を示す図である。図１７は、お気に入り登録処理のフローを示す図である。
【０１４１】
なお、お気に入り登録処理の説明については、実施の形態１で説明済みのため、以降では説明を省略する。図１６の用紙リスト画面１６１０において、オペレータは、用紙１６１１が選択されている状態で、お気に入りアイコン領域１６１２を右クリックする。オペレータは、お気に入り登録メニュー１６１３において、お得意様Ｃ社にチェックを入れる。
【０１４２】
ここからは、図１７のフローチャートを用いて説明する。ステップＳ１７０１において、コントローラ３００は、用紙管理ユニット３５３に対して、お気に入り設定がされている用紙合計数を計算し、所定の閾値を越えるか判断するように制御する。Ｓ１５０１と同じ処理のため、説明は省略する。もし、お気に入り設定がされている用紙合計数が閾値を越えた場合、コントローラ３００は、ステップＳ１７０２へ処理を進める。もし、お気に入り設定がされている用紙合計数が閾値を越えなかった場合には、何もせずにお気に入り設定処理を終了する。換言すると所定数までは通常通りにお気に入りを登録可能である。
【０１４３】
ステップＳ１７０２において、コントローラ３００は、お気に入り解除画面１６２０を表示する。お気に入り解除画面１６２０は、お気に入り管理画面と画面構成自体は同じである。違いは、画面内でオペレータに対して「使っていないお気に入りはありませんか？」とメッセージを表示する点のみである。
【０１４４】
ステップＳ１７０３。ステップＳ１７０４において、実施の形態１の図１１の「登録済みのお気に入りを削除する際の画面遷移」で警告画面１１５０を説明している部分と同じ処理のため、説明を省略する。
【０１４５】
以上がお気に入りの数が増えた時に、不要なお気に入りグループを削除する手段に関する説明である。これによって、お気に入りの登録数が増えた場合、所望の用紙を見つけやすくするため不要なお気に入りグループの削除を促す画面へ誘導できる。オペレータは、不要なお気に入りグループを削除することで、不要なお気に入りをまとめて削除でき、所望の用紙を見つけやすさを維持することが可能になる。そのため、オペレータは、所望する用紙を容易に見つることが可能となる。
【０１４６】
＜実施の形態４＞
実施の形態２，３において、お気に入りの数が増えた時に、不要なお気に入り用紙、グループを削除する手段について説明した。しかし、お得意様が増えて、従来のお得意様も継続してお得意様である状況の場合、お気に入りは増えても、現状のお気に入りは維持したい場合がある。
【０１４７】
そこで、本実施形態では、前記状況になった場合、実施の形態２、３とは違い、お気に入りを削除せずに、所望の用紙を見つけやすい状況を維持することができるようにする。具体的には、お気に入り設定がされた用紙合計数が所定の閾値に到達した場合、用紙リスト画面１８１０を表示する際に、用紙リスト画面１８１０をすぐに用紙検索が実施できる状態にする。
【０１４８】
本実施形態の処理について図１８、図１９を用いて説明する。図１８は、用紙リスト画面を示す図である。図１９は、用紙リスト表示処理のフローを示すである。
【０１４９】
ここからは、図１９のフローチャートを用いて説明する。本フローチャートは、トップ画面のボタン７１１が押下された、または、表示中の用紙リスト画面１８１０が最前面に描画されるタイミングで実施される処理について説明するものである。
【０１５０】
ステップＳ１９０１において、コントローラ３００は、用紙管理ユニット３５３に対して、お気に入り設定がされている用紙合計数を計算し、所定の閾値を越えるか判断するように制御する。Ｓ１５０１と同じ処理のため、説明は省略する。もし、お気に入り設定がされている用紙合計数が閾値を越えた場合、コントローラ３００は、ステップＳ１９０２へ処理を進める。もし、お気に入り設定がされている用紙合計数が閾値を越えなかった場合には、何もせずにお気に入り設定処理を終了する。
【０１５１】
ステップＳ１９０２において、コントローラ３００は、ＵＩ制御ユニット３５２に対して、検索入力エリア１８１２に画面の入力フォーカスを設定する。
【０１５２】
ステップＳ１９０３において、コントローラ３００は、お気に入り登録されているすべての用紙の用紙リスト１８１３を作成する。図１５のステップＳ１５０２での説明と同様であるため、説明を省略する。
【０１５３】
ステップＳ１９０４において、コントローラ３００は、ステップＳ１９０２で作成した用紙リスト１８１３を使用履歴順でソートする。図１５のステップＳ１５０３での説明と同様であるため、説明を省略する。
【０１５４】
ステップＳ１９０５において、コントローラ３００は、ＵＩ制御ユニット３５２に対して、用紙リスト画面１８１０を表示するように制御する。プルダウンメニュー１８１１にお気に入りいずれかに該当する意味の「お気に入り」という選択肢を表示する。ここでは、「お気に入り」はお気に入りＩＤ＝１、２、３のいずれかに該当するという意味を示す。
【０１５５】
以上がお気に入り登録数が増えた時に、用紙リスト画面表示時に用紙の検索入力エリアにすぐにキーワードを入力可能な状態にする手段に関する説明である。これによって、お気に入りの登録数が増えた場合、お気に入り手段よりも所望の用紙を見つけやすい検索手段へ誘導できる。そのため、オペレータは、お気に入りの登録数が非常に多い状況下でも、所望する用紙を容易に見つることが可能となる。
【０１５６】
＜その他の実施形態＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【０１５７】
また、本発明は、複数の機器から構成されるシステムに適用しても、１つの機器からなる装置に適用してもよい。例えば、システムソフトウェア３５１に記載されたモジュールの一部を外部サーバで実行するように構成し、外部サーバで処理された結果を取得することで、機能を実現してもよい。
【０１５８】
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【０１５９】
なお、各実施例中に登場する略称の定義は次の通りである。ＡＳＩＣとは、Ａｐｐｌｉｃａｔｉｏｎ  Ｓｐｅｃｉｆｉｃ  Ｉｎｔｅｇｒａｔｅｄ  Ｃｉｒｃｕｉｔのことである。ＣＰＵとは、Ｃｅｎｔｒａｌ  Ｐｒｏｃｅｓｓｉｎｇ  Ｕｎｉｔである。ＦＡＸとはＦＡＣＳＩＭＩＬＥのことである。ＬＡＮとは、Ｌｏｃａｌ  Ａｒｅａ  Ｎｅｔｗｏｒｋのことである。ＭＦＰとは、Ｍｕｌｔｉ  Ｆｕｎｃｔｉｏｎ  Ｐｅｒｉｐｈｅｒａｌのことである。ＰＣとは、Ｐｅｒｓｏｎａｌ  Ｃｏｍｐｕｔｅｒのことである。ＰＤＬとは、Ｐａｇｅ  Ｄｅｓｃｒｉｐｔｉｏｎ  Ｌａｎｇｕａｇｅのことである。ＲＡＭとは、Ｒａｎｄｏｍ‐Ａｃｃｅｓｓ  Ｍｅｍｏｒｙのことである。ＲＯＭとは、Ｒｅａｄ  Ｏｎｌｙ  Ｍｅｍｏｒｙのことである。ＳＦＰとは、Ｓｉｎｇｌｅ  Ｆｕｎｃｔｉｏｎ  Ｐｅｒｉｐｈｅｒａｌのことである。ＵＩとは、Ｕｓｅｒ  Ｉｎｔｅｒｆａｃｅのことである。ＵＳＢとは、Ｕｎｉｖｅｒｓａｌ  Ｓｅｒｉａｌ  Ｂｕｓのことである。ＩＦとはＩｎｔｅｒｆａｃｅのことである。
【符号の説明】
【０１６０】
１００  用紙管理システム
１０１  クライアントコンピュータ
１０２  印刷制御装置
１０３  画像形成装置
１１１  表示装置
１１２  キーボード
１１３  ポインティングデバイス
９１０  用紙リスト画面
９１１  プルダウンメニュー
１０２１  お気に入り登録メニュー
【図１】
2019075746.tif 000003
【図２】
2019075746.tif 000004
【図３】
2019075746.tif 000005
【図４】
2019075746.tif 000006
【図５】
2019075746.tif 000007
【図６】
2019075746.tif 000008
【図７】
2019075746.tif 000009
【図８】
2019075746.tif 000010
【図９】
2019075746.tif 000011
【図１０】
2019075746.tif 000012
【図１１】
2019075746.tif 000013
【図１２】
2019075746.tif 000014
【図１３】
2019075746.tif 000015
【図１４】
2019075746.tif 000016
【図１５】
2019075746.tif 000017
【図１６】
2019075746.tif 000018
【図１７】
2019075746.tif 000019
【図１８】
2019075746.tif 000020
【図１９】
2019075746.tif 000021